(57)【要約】【課題】基礎等のコンクリート構造物の表面に対しランナを用いて取り付ける補強鉄筋を埋設する状態で補強モルタルを塗り付けて補強する構造において、ランナから補強鉄筋に直接応力を伝達することができて、隣接する構造物の固定も兼ねた補強構造及び補強方法を提供する。【解決手段】コンクリート構造物１の表面に対し補強鉄筋３を埋設する状態で補強モルタル５を塗り付けて補強する構造において、コンクリート構造物１に固定されて補強鉄筋３を固定状態に支持する第１固定板１２の延長上に、コンクリート構造物１に隣接する構造物８に固定する第２固定板２１が一体に形成された構造物接続兼用補強鉄筋ランナ１０を用いる。第１固定板１２には、格子状の補強鉄筋３の主筋３ａを挿入して保持する鉄筋保持溝２ａが形成されていて、その鉄筋保持溝２ａの幅は、格子状の補強鉄筋３の主筋３ａの直径よりも僅かに小さく形成されている。【選択図】図１
2019044525.tif 000002
【特許請求の範囲】
【請求項１】
コンクリート構造物の表面に対しランナを用いて取り付ける補強鉄筋を埋設する状態で補強モルタルを塗り付けて補強する構造において、
前記ランナは、
前記コンクリート構造物に固定されて前記補強鉄筋を固定状態に支持する第１固定板と、前記コンクリート構造物に隣接する構造物に固定する第２固定板と、が一体に形成されていることを特徴とするコンクリート構造物の補強構造。
【請求項２】
請求項１に記載のコンクリート構造物の補強構造において、
前記第１固定板には、格子状の前記補強鉄筋の主筋を挿入して保持する鉄筋保持溝が形成されていて、
前記鉄筋保持溝の幅は、前記格子状の補強鉄筋の主筋の直径よりも僅かに小さく形成されていることを特徴とするコンクリート構造物の補強構造。
【請求項３】
請求項２に記載のコンクリート構造物の補強構造において、
前記格子状の補強鉄筋の主筋を、前記鉄筋保持溝に対し叩き込むことで当該溝の奥部に固定することを特徴とするコンクリート構造物の補強方法。
【請求項４】
コンクリート構造物の表面に対し補強鉄筋及びラス網を埋設する状態で補強モルタルを塗り付けて補強するコンクリート構造物の補強構造に用いられ、前記コンクリート構造物に固定されて前記補強鉄筋を固定状態に支持する第１固定板と、
前記コンクリート構造物に隣接する構造物に固定する第２固定板と、
が一体に形成されていることを特徴とする構造物接続兼用補強鉄筋ランナ。
【請求項５】
請求項４に記載の構造物接続兼用補強鉄筋ランナにおいて、
前記第１固定板と前記第２固定板の連続部分近傍には、地震発生時において、前記隣接する構造物に固定された前記第２固定板の所定角度以上の揺動で破断可能な脆弱部が設けられていることを特徴とする構造物接続兼用補強鉄筋ランナ。
【請求項６】
請求項５に記載の構造物接続兼用補強鉄筋ランナにおいて、
前記脆弱部は、前記連続部分近傍の両側に切欠き状に形成されたくびれ部、前記連続部分近傍に貫通して形成された孔部、又は前記連続部分近傍の表面に形成された横方向の溝部のいずれかであることを特徴とする構造物接続兼用補強鉄筋ランナ。
【請求項７】
請求項４から６のいずれか一項に記載の構造物接続兼用補強鉄筋ランナにおいて、
前記第１固定板には、格子状の前記補強鉄筋の主筋を挿入して固定状態に保持する鉄筋保持溝と、前記ラス網を挿入して固定状態に保持するラス網保持溝が形成されていることを特徴とする構造物接続兼用補強鉄筋ランナ。
【請求項８】
請求項４から７のいずれか一項に記載の構造物接続兼用補強鉄筋ランナにおいて、
前記第１固定板は、前記コンクリート構造物表面に固定される平板部の一側に沿って突出して前記補強鉄筋及び前記ラス網を保持する突出片を有して、
前記平板部の他側に沿って突出する補強リブを有していることを特徴とする構造物接続兼用補強鉄筋ランナ。
【請求項９】
請求項８に記載の構造物接続兼用補強鉄筋ランナにおいて、
前記補強リブは、前記突出片よりも突出長さが短く形成されていることを特徴とする構造物接続兼用補強鉄筋ランナ。
【請求項１０】
請求項４から９のいずれか一項に記載の構造物接続兼用補強鉄筋ランナにおいて、
前記第１固定板には、前記コンクリート構造物表面に対する高さが異なる複数の取付孔が横方向に位置を異ならせて形成されていることを特徴とする構造物接続兼用補強鉄筋ランナ。
【発明の詳細な説明】
【技術分野】
【０００１】
本発明は、基礎等のコンクリート構造物の補強構造及び補強方法と、その補強に用いる構造物接続兼用補強鉄筋ランナに関する。
【背景技術】
【０００２】
本出願人は、既設の布基礎等における基礎立ち上がりの耐震補強を、一般的な素材や一般的な作業により簡単かつ安価に行えるようにする基礎補強構造を提案した（特許文献１参照）。
この基礎補強構造は、補強すべき基礎の立ち上がりの側壁面に、一方向に延びる補強部（リブ、鉄筋）を有するラス網を、その補強部を水平方向に延設させた状態で貼り付けるとともに、このラス網を埋設する状態でモルタルを塗り付けて壁部を形成することにより、基礎立ち上がりの側壁面を耐震補強する。
また、この基礎補強構造において、ラス網や鉄筋を、基礎立ち上がりの側壁部に沿って貼り付け保持させるために、ラス網の複数個所を引っかけて支持するための引っかけ部を有し基礎立ち上がりの側壁面に鉄筋釘で組み付け固定されるランナを使用する。
【０００３】
さらに、本出願人は、基礎に固定されるランナを用いて、格子状の補強鉄筋とラス網を各々保持して確実に固定できる基礎補強構造及び方法を提案した（特許文献２参照）。
これは、基礎の表面にランナを固定し、そのランナに補強鉄筋とラス網を組み付け、基礎の表面に対しランナと補強鉄筋及びラス網を埋設する状態で補強モルタルを塗り付けて補強する構造で、ランナに、格子状の補強鉄筋を挿入して保持する鉄筋保持溝と、ラス網を挿入して保持するラス網保持溝を形成する。
【０００４】
また、特許文献３において、既存基礎に一体化される増設基礎を形成して全体で補強基礎を構成するとともに、この補強基礎に対して簡易な施工によって設けられて土台を強固に一体化する構造簡易で廉価な基礎増設補強金物を用いた建物補強方法が提案されている。
この建物補強方法は、土台を支持した既存の無筋基礎に対して、土台に柱を立設した柱立設部位を含んで側面から突出してアンカーボルトを植設するとともに、そのアンカーボルトの先端部を内部に組み込んだ鉄筋組を組み立てた後にコンクリートを打設して側面に沿って一体化した増設基礎を増設してなる補強基礎を形成する。ここで、柱立設部位を除く他の部位において基礎増設補強金物を用いるとともに、柱立設部位において基礎増設補強金物と補強金具を用いる。基礎増設補強金物により増設基礎に対して土台を一体化するとともに、基礎増設補強金物と補強金具により増設基礎に対して土台と柱を一体化する。
基礎増設補強金物は、アンカーボルトを貫通させる連結孔を形成した基礎連結部の一端側に取付孔を有する固定部を直交状態に折曲して全体がＬ字状に形成され、基礎連結部の他端側に固定部と反対側に直交状態に折曲してなる鉄筋結合部を形成するとともに主面にスタッドジベルを立設してなる。
補強金具は、取付孔を有する互いに直交する第１取付部と第２取付部及びこれら第１取付部と第２取付部の側縁部に沿って折曲形成された筋交い部とからなる全体略Ｌ字状に形成され、取付孔にそれぞれねじ込んだ固定ボルトにより土台の柱立設部位に対して第１取付部を土台の上面に固定するとともに、第２取付部を柱の側面に固定して用いられる。
【０００５】
また、特許文献４において、一枚の鋼板を使用し、この鋼板に柱に取付ける折曲げ片と、土台に取付ける折曲げ片と、更に折曲げ部間を傾斜させた線で結んだ三角形状の補強部と、更に下端に補助基礎に取付けるフランジを設けた補強金具によって、コンクリート基礎に補助基礎を一体化にする補強構造が提案されている。
補強金具の下端側は、コンクリート基礎に並設して構築した補助基礎に取付ける直角に折曲げたフランジを設けてある。
補強金具の上部側の一方端は、コンクリート基礎上に横設してボルトナットで締付け固定した土台上の柱に沿わせて、しかも、柱の縦方向の折曲げ部を中心として直角に折曲げた折曲げ片が形成されている。また、他方側は、土台に沿わせると共に、土台の幅方向に横方向の折曲げ部を中心に直角に折曲げた折曲げ片と、夫々の折曲げ部との間を傾斜させた縁部で結んでなる三角形状の補強部で成形されている。
補助基礎には、補強金具のフランジにＪ形のアンカーボルトを取付け、このアンカーボルトは、補助基礎をコンクリート基礎と並べて構築するときに補強金具をコンクリート基礎に沿わせるようにして補強金具の一部と共に補助基礎に埋設し一体にする。
補強金具には複数個のボルト孔が穿ってあって、この補強金具をコンクリート基礎に沿わせると共に土台と柱に各々当接させ、しかも各折曲げ片を土台と柱の幅方向に当てボルト孔を通してボルトで締付け、補強金具を介して補助基礎、土台、柱を一体化させて補強する。
【先行技術文献】
【特許文献】
【０００６】
【特許文献１】特許第５９６５２０４号公報
【特許文献２】特開２０１６−３１００１号公報
【特許文献３】特許第４６７２４５９号公報
【特許文献４】実用新案登録第３０４４６５３号公報
【発明の概要】
【発明が解決しようとする課題】
【０００７】
しかし、特許文献３の建物補強方法は、無筋基礎に対する増設基礎内の鉄筋組の上下の主筋が基礎増設補強金物にしっかりと固定されていないため、基礎増設補強金物は補強用の鉄筋組の上下の主筋に直接応力を伝えることができなかった。
また、特許文献４の家屋補強構造は、補強金具に取付けたＪ形のアンカーボルトが補助基礎内にあるだけで、補助基礎内の鉄筋に補強金具が固定されているか不明であった。
【０００８】
本発明の課題は、特許文献２のような基礎等のコンクリート構造物の表面に対しランナを用いて取り付ける補強鉄筋を埋設する状態で補強モルタルを塗り付けて補強する構造において、ランナから補強鉄筋に直接応力を伝達することができるとともに、隣接する構造物の固定も兼ねた補強構造及び補強方法を提供することである。
また、本発明は、その補強に用いる構造物接続兼用補強鉄筋ランナを提供することも課題としている。
【課題を解決するための手段】
【０００９】
以上の課題を解決するため、請求項１に記載の発明は、例えば図１に示すように、
コンクリート構造物１の表面に対しランナを用いて取り付ける補強鉄筋３を埋設する状態で補強モルタル５を塗り付けて補強する構造において、
前記ランナ１０は、
前記コンクリート構造物１に固定されて前記補強鉄筋３を固定状態に支持する第１固定板１２の延長上に、前記コンクリート構造物１に隣接する構造物８に固定する第２固定板２１が一体に形成されていることを特徴とする。
【００１０】
請求項１に記載の発明によれば、ランナ１０は、コンクリート構造物１に固定した第１固定板１２に補強鉄筋３が固定されているので、ランナ１０から補強鉄筋３に直接応力を伝達することができる。
さらに、コンクリート構造物１に隣接する構造物８に固定する第２固定板２１が、第１固定板１２の延長上に一体に形成されているので、コンクリート構造物１と隣接する構造物８との固定も兼ねることとなり、隣接する構造物８の応力をランナ１０から補強鉄筋３に直接伝達することができる。
しかも、コンクリート構造物１とその隣接構造物８の面同士にランナ１０を固定するだけでよい。
【００１１】
請求項２に記載の発明は、例えば図１に示すように、
請求項１に記載のコンクリート構造物の補強構造において、
前記第１固定板１２には、格子状の前記補強鉄筋３の主筋３ａを挿入して保持する鉄筋保持溝２ａが形成されていて、
前記鉄筋保持溝２ａの幅は、前記格子状の補強鉄筋３の主筋３ａの直径よりも僅かに小さく形成されていることを特徴とする。
【００１２】
請求項２に記載の発明によれば、第１固定板１２の鉄筋保持溝２ａの幅が、格子状の補強鉄筋３の主筋３ａの直径よりも僅かに小さく形成されているので、格子状の補強鉄筋３の主筋３ａを第１固定板１２の鉄筋保持溝２ａに対し、例えばハンマ等で叩き込むことで、その主筋３ａが当該溝２ａの奥部にしっかりと固定される。
【００１３】
請求項３に記載の発明は、例えば図１に示すように、
請求項２に記載のコンクリート構造物の補強構造において、
前記格子状の補強鉄筋３の主筋３ａを、前記鉄筋保持溝２ａに対し叩き込むことで当該溝２ａの奥部に固定することを特徴とする。
【００１４】
請求項３に記載の発明によれば、格子状の補強鉄筋３の主筋３ａを、鉄筋保持溝２ａに対し叩き込むことによって、当該溝２ａの奥部に固定することができる。
これにより、コンクリート構造物１に固定した第１固定板１２に補強鉄筋３の主筋３ａがしっかりと固定されて、ランナ１０から補強鉄筋３の主筋３ａに直接応力を伝達することができる。
【００１５】
請求項４に記載の発明は、例えば図１に示すように、
コンクリート構造物１の表面に対し補強鉄筋３及びラス網４を埋設する状態で補強モルタル５を塗り付けて補強する補強構造に用いられ、前記コンクリート構造物１に固定されて前記補強鉄筋３を固定状態に支持する第１固定板１２と、
前記コンクリート構造物１に隣接する構造物８に固定する第２固定板２１と、
が一体に形成されている構造物接続兼用補強鉄筋ランナ１０を特徴とする。
【００１６】
請求項４に記載の発明によれば、コンクリート構造物補強用の第１固定板１２に隣接構造物固定用の第２固定板２１が一体に形成された構造物接続兼用補強鉄筋ランナ１０なので、コンクリート構造物１表面に固定した第１固定板１２に補強鉄筋３とラス網４を組み付け、コンクリート構造物１表面に対し第１固定板１２と補強鉄筋３及びラス網４を埋設する状態で補強モルタル５を塗り付けて補強することができることに加えて、その基礎補強用の第１固定板１２と一体の第２固定板２１を、コンクリート構造物１に隣接する構造物８に固定することができる。
このように、コンクリート構造物補強用と隣接構造物固定用を兼ねた一体型の構造物接続兼用補強鉄筋ランナ１０を提供することができる。
【００１７】
請求項５に記載の発明は、例えば図１に示すように、
請求項４に記載の構造物接続兼用補強鉄筋ランナ１０において、
前記第１固定板１２と前記第２固定板２１の連続部分近傍には、地震発生時において、前記隣接構造物８に固定された前記第２固定板２１の所定角度以上の揺動で破断可能な脆弱部２１ｂが設けられていることを特徴とする。
【００１８】
請求項５に記載の発明によれば、コンクリート構造物補強用の第１固定板１２と隣接構造物固定用の第２固定板２１の連続部分近傍に設けた脆弱部２１ｂが、地震発生時において、隣接構造物８に固定された第２固定板２１の所定角度以上の揺動で破断することで、コンクリート構造物１に固定された第１固定板１２や補強モルタル５が剥離するのを防止することができる。
このように、第２固定板２１と第１固定板１２の連続部分近傍に脆弱部２１ｂを設ける簡単な構成で振動を分断することができる。
【００１９】
請求項６に記載の発明は、例えば図１に示すように、
請求項５に記載の構造物接続兼用補強鉄筋ランナ１０において、
前記脆弱部は、前記連続部分近傍の両側に切欠き状に形成されたくびれ部２１ｂ、前記連続部分近傍に貫通して形成された孔部、又は前記連続部分近傍の表面に形成された横方向の溝部のいずれかであることを特徴とする。
【００２０】
請求項６に記載の発明によれば、第１固定板１２と第２固定板２１の連続部分近傍の両側に切欠き状に形成されたくびれ部２１ｂ、前記連続部分近傍に貫通して形成された孔部、又は前記連続部分近傍の表面に形成された横方向の溝部のいずれかが、地震発生時において、隣接構造物８に固定された第２固定板２１の所定角度以上の揺動で破断することで、コンクリート構造物１に固定された第１固定板１２や補強モルタル５が剥離するのを防止することができる。
このように、くびれ部２１ｂ、孔部、又は横方向の溝部による簡単な構成で振動を分断することができる。
【００２１】
請求項７に記載の発明は、例えば図１に示すように、
請求項４から６のいずれか一項に記載の構造物接続兼用補強鉄筋ランナ１０において、
前記第１固定板１２には、格子状の前記補強鉄筋３の主筋を挿入して固定状態に保持する鉄筋保持溝２ａと、前記ラス網４を挿入して固定状態に保持するラス網保持溝２ｂが形成されていることを特徴とする。
【００２２】
請求項７に記載の発明によれば、コンクリート構造物補強用の第１固定板１２の鉄筋保持溝２ａに、格子状の補強鉄筋３の主筋を挿入して固定状態に保持することができるとともに、第１固定板１２のラス網保持溝２ｂに、ラス網４を挿入して固定状態に保持することができる。
【００２３】
請求項８に記載の発明は、例えば図１に示すように、
請求項４から７のいずれか一項に記載の構造物接続兼用補強鉄筋ランナ１０において、
前記第１固定板１２は、前記コンクリート構造物１表面に固定される平板部の一側に沿って突出して前記補強鉄筋３及び前記ラス網４を保持する突出片１２Ａを有して、
前記平板部の他側に沿って突出する補強リブ１２Ｂを有していることを特徴とする。
【００２４】
請求項８に記載の発明によれば、コンクリート構造物補強用の第１固定板１２は、コンクリート構造物１表面に固定される平板部の一側に沿った突出片１２Ａで補強鉄筋３及びラス網４を保持することができて、平板部の他側に沿った補強リブ１２Ｂにより剛性を高めることができる。
このように、補強リブ１２Ｂによる簡単な構成でねじれ（回転）に耐えることができる。
【００２５】
請求項９に記載の発明は、例えば図１に示すように、
請求項７に記載の構造物接続兼用補強鉄筋ランナ１０において、
前記補強リブ１２Ｂは、前記突出片１２Ａよりも突出長さが短く形成されていることを特徴とする。
【００２６】
請求項９に記載の発明によれば、コンクリート構造物補強用の第１固定板１２の補強リブ１２Ｂは、平行する突出片１２Ａよりも突出長さが短いので、突出片１２Ａに補強鉄筋３及びラス網４を保持する際に補強リブ１２Ｂが支障にならない。
このように、突出片１２Ａよりも突出長さが短い補強リブ１２Ｂにより、突出片１２Ａを平行に設けた場合に比べて、コンクリート構造物１に第１固定板１２を固定する際、突出片１２Ａに補強鉄筋３及びラス網４を保持する際における施工誤差を吸収することができる。
【００２７】
請求項１０に記載の発明は、例えば図１に示すように、
請求項４から９のいずれか一項に記載の構造物接続兼用補強鉄筋ランナにおいて、
前記第１固定板１２には、前記コンクリート構造物１表面に対する高さが異なる複数の取付孔１２Ｄが横方向に位置を異ならせて形成されていることを特徴とする。
【００２８】
請求項１０に記載の発明によれば、コンクリート構造物補強用の第１固定板１２のコンクリート構造物１表面に対する高さが異なる複数の取付孔１２Ｄが、横方向に位置を異ならせているので、取付孔を上下に並べた場合よりも、コンクリート構造物１に対し強固に固定することができて、取付孔を横に並べたよりも、コンクリート構造物補強用の第１固定板１２の幅を小さくすることができる。
【発明の効果】
【００２９】
本発明によれば、コンクリート構造物の表面に対しランナを用いて取り付ける補強鉄筋を埋設する状態で補強モルタルを塗り付けて補強する構造において、ランナから補強鉄筋に直接応力を伝達することができるとともに、隣接構造物の固定も兼ねた補強構造及び補強方法を提供することができる。
また、その補強に用いる構造物接続兼用補強鉄筋ランナも提供することができる。
【図面の簡単な説明】
【００３０】
【図１】本発明に係る構造物接続兼用補強鉄筋ランナを用いたコンクリート構造物の補強構造を示す要部破断の概略斜視図である。
【図２】図１の基礎に基礎補強鉄筋ランナと構造物接続兼用補強鉄筋ランナを用いて補強鉄筋を取り付けた状態を示す概略正面図である。
【図３】図２の構造物接続兼用補強鉄筋ランナに沿った縦断面図である。
【図４】図１の構造物接続兼用補強鉄筋ランナの平面図（ａ）、一側面図（ｂ）及び他側面図（ｃ）である。
【図５】鉄筋継手部に用いるランナの要部側面図である。
【発明を実施するための形態】
【００３１】
以下、図面を参照して本発明の実施の形態について説明する。
（実施形態）
図１は本発明に係る柱脚金物兼用補強鉄筋ランナ（構造物接続兼用補強鉄筋ランナ）１０を用いた布基礎（コンクリート構造物）１の補強構造を要部破断して示したもので、図２はその布基礎１に基礎補強鉄筋ランナ２と柱脚金物兼用補強鉄筋ランナ１０を用いて補強鉄筋３を取り付けた状態を示すものであり、４はラス網、５は補強モルタル、６は基礎パッキン、７は土台、８は柱（隣接する構造物）、９はあて木である。
【００３２】
図示のように、布基礎１の側面には、基礎補強鉄筋ランナ２と、柱脚金物兼用補強鉄筋ランナ１０が縦にして取り付けられ、この基礎補強鉄筋ランナ２と、柱脚金物兼用補強鉄筋ランナ１０の第１固定板１２に格子状の補強鉄筋３とラス網４が取り付けられて、補強モルタル５が塗り付けられる。
基礎補強鉄筋ランナ２と、柱脚金物兼用補強鉄筋ランナ１０の第１固定板１２には、鉄筋保持溝２ａとラス網保持溝２ｂが形成されている。
補強鉄筋３は、予め横筋（主筋）３ａと縦筋（せん断補強筋）３ｂを格子状に組み付けて構成されている。
【００３３】
ラス網４は、多数の切れ目を設けた鋼板（鋼帯）を引き伸ばして網目を形成したものである。
図示例では、鋼帯の一方向に延びかつ一定の間隔をおいて形成された複数の帯状部分には切れ目を設けず、その他の部分には切れ目を設けた後に、帯状部分の方向と直交する方向に引き伸ばして網目状部分を形成したラス網４である。
また、切れ目を設けない複数の帯状部分を、その幅方向において略Ｕ字状を呈するように折り曲げることで、リブ状部分４ｂが形成されている。
【００３４】
基礎補強鉄筋ランナ２は、図２に示すように、アングル材を用いた縦長形状のもので、断面Ｌ型の一側片に、図１に示す柱脚金物兼用補強鉄筋ランナ１０の第１固定板１２と同様に、上下一対の鉄筋保持溝２ａと、上下方向等間隔に複数のラス網保持溝２ｂが形成されて、断面Ｌ型の他側片には、上下方向等間隔に複数の取付孔２ｃが形成されている。
なお、鉄筋保持溝２ａは、格子状の補強鉄筋３の横筋３ａを挿入して保持するために、上方に開放して斜め下方に落ち込む形状に形成されている。そして、ラス網保持溝２ｂは、略水平なスリット状に形成されている。また、取付孔２ｃは、上下方向の長孔となっている。
【００３５】
ここで、鉄筋保持溝２ａの上方に開放した入口の幅は、格子状の補強鉄筋３の主筋である横筋３ａの直径と同じか大きいものとなっていて、鉄筋保持溝２ａの入口より斜め下方に落ち込んだ奥部の幅は、横筋３ａの直径よりも僅かに小さいものとなっている。
【００３６】
図３は図２の柱脚金物兼用補強鉄筋ランナ１０に沿った縦断面を示し、図４（ａ）、（ｂ）及び（ｃ）は図１の柱脚金物兼用補強鉄筋ランナ１０の平面、一側面及び他側面を示すものである。
【００３７】
図示のように、柱脚金物兼用補強鉄筋ランナ１０は、基礎補強用の第１固定板１２と、布基礎１の上に設置される柱８の脚部に固定する第２固定板２１と、が一体に形成されている。
【００３８】
すなわち、第１固定板１２は、基礎補強鉄筋ランナ２より幅広で布基礎１の表面に固定される平板部と、その一側に沿って突出して鉄筋保持溝２ａ及びラス網保持溝２ｂが形成された突出片１２Ａと、平板部の他側に沿って突出する補強リブ１２Ｂとで構成されている。
補強リブ１２Ｂは、突出片１２Ａより短くて鉄筋保持溝２ａの奥部と同程度に形成されている。なお、突出片１２Ａの上方には、補強リブ１２Ｂと同寸法で突出する補強リブ１２Ｃが形成されている。
そして、第１固定板１２の平板部には、布基礎１の表面に対する高さが異なる二個の取付孔１２Ｄが横方向に位置を異ならせて形成されている。
【００３９】
また、第２固定板２１には、その平板部の上部に釘打ち用の多数の固定孔２１ａが形成されている。
そして、柱脚金物兼用補強鉄筋ランナ１０には、第２固定板２１と第１固定板１２の連続部分近傍に、地震発生時に柱８の脚部に固定された第２固定板２１の所定角度以上の揺動で破断可能とする脆弱部として、図示例では、第２固定板２１の下部に左右一対の切欠き状のくびれ部２１ｂが形成されている。
なお、くびれ部２１ｂは、布基礎１の上面から土台７の上面、さらに固定孔２１ａの下方までの範囲であればどの位置でもよく、また、第２固定板２１の下部及び中間部に限らず、第１固定板１２の上部の位置であってもよい。
【００４０】
図５は鉄筋継手部に用いるランナ２・１０の要部側面を示すもので、ランナ２の一側片とランナ１０の突出片１２Ａに設ける継手部用の鉄筋保持溝２ｄは、図示のように、鉄筋継手部の２本の横筋３ａを上下に重ねて挿入して保持するために、上下方向の幅広形状で、奥に向かって広くなっている形状に形成されている。
すなわち、鉄筋保持溝２ｄの上方に開放した入口の上下幅は、１本の横筋３ａの直径より大きいが、鉄筋継手部の上下２本の横筋３ａの直径の和よりも小さいものとなっていて、鉄筋保持溝２ｄの入口より斜め下方に落ち込んだ奥部の上下幅は、上下２本の横筋３ａの直径の和よりも僅かに小さいものとなっている。
【００４１】
なお、鉄筋継手部としては、図示のような出隅コーナー部の他、入隅コーナー部も含むコーナー用補強鉄筋の継手部があり、また、被取付面の長さが長い場合などもある。
【００４２】
以上の基礎補強鉄筋ランナ２と柱脚金物兼用補強鉄筋ランナ１０を用いて行う布基礎１の補強方法について順に説明する。
【００４３】
先ず、布基礎１の立ち上がり部側面に予め埋めたアンカーボルトを、基礎補強鉄筋ランナ２の取付孔２ｃに通し、そのアンカーボルトにナットを締め付けて、布基礎１の立ち上がり部側面に対し基礎補強鉄筋ランナ２を垂直状態に固定する。
【００４４】
同様に、布基礎１の立ち上がり部側面のアンカーボルトを、柱脚金物兼用補強鉄筋ランナ１０の第１固定板１２の取付孔１２Ｄに通し、そのアンカーボルトにナットを締め付けて、布基礎１の立ち上がり部側面に対し柱脚金物兼用補強鉄筋ランナ１０を垂直状態に固定する。
【００４５】
次に、布基礎１の立ち上がり部側面に対し補強モルタル５を基礎補強鉄筋ランナ２と柱脚金物兼用補強鉄筋ランナ１０の第１固定板１２の鉄筋保持溝２ａにやや被る厚さに塗り付けて第一層を形成する。
次に、基礎補強鉄筋ランナ２と柱脚金物兼用補強鉄筋ランナ１０の第１固定板１２の上下の鉄筋保持溝２ａに格子状の補強鉄筋３の横筋３ａを各々挿入して、第一層の補強モルタル５に格子状の補強鉄筋３の横筋３ａ及び縦筋３ｂをそれぞれ押し込む。
【００４６】
ここで、鉄筋保持溝２ａに横筋３ａを挿入する際は、横筋３ａをハンマで叩いて鉄筋保持溝２ａの奥まで挿入する。
こうして、横筋３ａをハンマで鉄筋保持溝２ａの奥まで叩き込むことで、基礎補強鉄筋ランナ２と柱脚金物兼用補強鉄筋ランナ１０の鉄筋保持溝２ａの入口より斜め下方に落ち込んだ奥部が若干拡げられて横筋３ａに食い付いた固定状態となる。
このように、横筋３ａが鉄筋保持溝２ａの奥まで打ち込まれた状態で、突出片１２Ａと平行する補強リブ１２Ｂに横筋３ａが当接することになる。これにより、横筋３ａを鉄筋保持溝２ａの奥まで打ち込んだことを確認できる。
【００４７】
また、鉄筋継手部においては、上下方向に幅広形状に形成された継手部用の鉄筋保持溝２ａに、２本の横筋３ａが上下に重ねて挿入して保持される。
すなわち、図５に示すように、鉄筋保持溝２ａに、先ず、１本目の横筋３ａを挿入してから、２本目の横筋３ａを挿入して、矢印イで示すように、ハンマで鉄筋保持溝２ｄの奥まで叩き込む。これにより、上の横筋３ａに下の横筋３ａが、矢印ロで示すように、押し下げられて、鉄筋保持溝２ｄの入口より斜め下方に落ち込んだ奥部が若干拡げられて上下２本の横筋３ａに食い付いた固定状態となる。
【００４８】
次に、第一層の上に補強モルタル５を、格子状の補強鉄筋３が埋まって、基礎補強鉄筋ランナ２と柱脚金物兼用補強鉄筋ランナ１０の第１固定板１２のラス網保持溝２ｂがほぼ隠れる厚さ（ラス網保持溝２ｂの位置が確認できる程度の厚さ）に塗り付けて第二層を形成する。
次に、基礎補強鉄筋ランナ２と柱脚金物兼用補強鉄筋ランナ１０の第１固定板１２のラス網保持溝２ｂにラス網４の略Ｕ字状を呈するリブ状部分４ｂをスクレーパ等で押し込んで挿入して、第二層の補強モルタル５にラス網４を押し付ける。
次に、ラス網４が埋まるまで補強モルタル５を塗り付けて第三層を形成する。
【００４９】
以上、実施形態によれば、布基礎１に固定される基礎補強鉄筋ランナ２と柱脚金物兼用補強鉄筋ランナ１０の第１固定板１２を用いて、格子状の補強鉄筋３とラス網４を各々保持して確実に固定することができる。
【００５０】
すなわち、布基礎１に固定される基礎補強鉄筋ランナ２と柱脚金物兼用補強鉄筋ランナ１０の第１固定板１２に、格子状の補強鉄筋３の横筋３ａを挿入して保持する鉄筋保持溝２ａと、ラス網４のリブ状部分４ｂを挿入して保持するラス網保持溝２ｂを形成したので、基礎補強鉄筋ランナ２と柱脚金物兼用補強鉄筋ランナ１０の第１固定板１２の鉄筋保持溝２ａに格子状の補強鉄筋３の横筋３ａを保持して確実に固定することができる。
【００５１】
特に、布基礎１に固定した第１固定板１２に補強鉄筋３が固定されているので、柱脚金物兼用補強鉄筋ランナ１０から補強鉄筋３に直接応力を伝達することができる。
具体的には、格子状の補強鉄筋３の主筋である上下の横筋３ａを第１固定板１２の鉄筋保持溝２ａに対し叩き込むことで、その横筋３ａが当該溝２ａの奥部にしっかりと固定される。
これにより、布基礎１に固定した第１固定板１２に補強鉄筋３の主筋（横筋）３ａがしっかりと固定されて、ランナ１０から補強鉄筋３の主筋（横筋）３ａに直接応力を伝達することができる。
【００５２】
そして、基礎補強鉄筋ランナ２と柱脚金物兼用補強鉄筋ランナ１０の第１固定板１２のラス網保持溝２ｂにラス網４のリブ状部分４ｂを保持して確実に固定することができる。
【００５３】
しかも、基礎補強鉄筋ランナ２と柱脚金物兼用補強鉄筋ランナ１０の第１固定板１２に、格子状の補強鉄筋３とラス網４を保持して固定できるので、省部材並びにコストダウンに寄与する。
【００５４】
そして、垂直に設置される基礎補強鉄筋ランナ２と柱脚金物兼用補強鉄筋ランナ１０の第１固定板１２に対し鉄筋保持溝２ａが上から下へ斜めに形成されているので、鉄筋保持溝２ａに挿入した格子状の補強鉄筋３の横筋３ａが抜け難く、すなわち、横筋３ａの落下を防止できる。
【００５５】
また、鉄筋継手部に用いる基礎補強鉄筋ランナ２と柱脚金物兼用補強鉄筋ランナ１０の第１固定板１２は、その鉄筋保持溝２ａが、横筋３ａを上下２本重ねて挿入して保持し得る幅広形状に形成されているので、鉄筋継手部に対応できる。
【００５６】
また、布基礎１の立ち上がり部側面に対し補強モルタル５を基礎補強鉄筋ランナ２と柱脚金物兼用補強鉄筋ランナ１０の第１固定板１２の鉄筋保持溝２ａにやや被る厚さに塗り付けて第一層を形成した後、その鉄筋保持溝２ａに補強鉄筋３の横筋３ａを挿入して、第一層の補強モルタル５に横筋３ａ及び縦筋３ｂを押し込むことで、補強モルタル５内に格子状の補強鉄筋３をより確実に埋め込むことができる。
【００５７】
さらに、第一層の上に補強モルタル５を、格子状の補強鉄筋３を埋めて基礎補強鉄筋ランナ２と柱脚金物兼用補強鉄筋ランナ１０の第１固定板１２のラス網保持溝２ｂがほぼ隠れる厚さに塗り付けて第二層を形成した後、そのラス網保持溝２ｂにラス網４のリブ状部分４ｂを挿入して、第二層の補強モルタル５にラス網４を押し付けるので、補強モルタル５にラス網４を確実に埋め込むことができる。
しかも、ラス網４の押し付けにより、補強モルタル５の食い付きをよくすることができて、補強モルタル５にダレ等が生じるのを防止できるとともに、微細なヒビが生じるのも抑制できる。
【００５８】
そして、第二層の上に補強モルタル５を塗り付けて第三層を形成することで、補強モルタル５内に格子状の補強鉄筋３とラス網４をより確実に埋め込むことができる。
【００５９】
以上により、布基礎１の立ち上がり部側面に対し、基礎補強鉄筋ランナ２と柱脚金物兼用補強鉄筋ランナ１０の第１固定板１２を用いて固定した格子状の補強鉄筋３とラス網４と補強モルタル５による確実な補強構造が得られる。
【００６０】
なお、布基礎１のベース部上面を略水平にして、その略水平なベース部上面に基礎補強鉄筋ランナ２と柱脚金物兼用補強鉄筋ランナ１０の第１固定板１２の下端を当てて補強鉄筋３の横筋３ａの水平位置出しを行うことも可能である。
【００６１】
次に、柱脚金物兼用補強鉄筋ランナ１０の第２固定板２１を柱８にネジ止め固定する。
【００６２】
すなわち、布基礎１の上に基礎パッキン６を介して載せてアンカーボルト及びナットで固定した土台７の上に設置された柱８の外面にあて木９を介して柱脚金物兼用補強鉄筋ランナ１０の第２固定板２１を重ねて、上部の固定孔２１ａ部分で釘を柱８の脚部に打ち込んで固定する。
このように、布基礎１に設置する柱８に固定する第２固定板２１が、第１固定板１２の延長上に一体に形成されているので、布基礎１に固定するランナ１０が柱の固定も兼ねることができ、しかも、布基礎１とその上の柱８の面同士にランナ１０を固定するだけでよい。
【００６３】
以上のように、基礎補強用の第１固定板１２と一体の第２固定板２１を、布基礎１の上に設置した柱８の脚部に固定することができ、つまり、基礎補強用と柱脚固定用を兼ねた上下一体型の柱脚金物兼用補強鉄筋ランナ１０を提供することができる。
【００６４】
すなわち、ランナ１０は、布基礎１に固定した第１固定板１２に補強鉄筋３が固定されているため、ランナ１０から補強鉄筋３に直接応力を伝達することができる。
さらに、布基礎１上に設置する柱８の脚部に固定する第２固定板２１が、第１固定板１２の延長上に一体に形成されているため、布基礎１上に設置する柱８との固定も兼ねることとなり、柱８の応力をランナ１０から補強鉄筋３に直接伝達することができる。
しかも、布基礎１とその上の柱８の面同士にランナ１０を固定するだけでよい。
【００６５】
具体的には、第１固定板１２の鉄筋保持溝２ａの幅が、格子状の補強鉄筋３の主筋である横筋３ａの直径よりも僅かに小さく形成されているため、その横筋３ａを第１固定板１２の鉄筋保持溝２ａに対し、ハンマで叩き込むことで、横筋３ａを当該溝２ａの奥部にしっかりと固定することができる。
これにより、布基礎１に固定した第１固定板１２に補強鉄筋３の横筋３ａがしっかりと固定されて、ランナ１０から補強鉄筋３の横筋３ａに直接応力を伝達することができる。
【００６６】
そして、柱脚固定用の第２固定板２１と基礎補強用の第１固定板１２の連続部分近傍に設けた脆弱部として、第２固定板２１の下部両側に切欠き状に形成した左右一対のくびれ部２１ｂが、地震発生時において、柱８の脚部に固定された第２固定板２１の所定角度以上の揺動で破断する。
これにより、布基礎１に固定された第１固定板１２や補強モルタル５が、地震発生時に剥離するのを防止することができる。
【００６７】
このように、第２固定板２１と第１固定板１２の連続部分近傍に脆弱部としてくびれ部２１ｂを設ける簡単な構成で振動を分断することができる。
【００６８】
また、布基礎１の表面に固定される平板部の一側に沿った突出片１２Ａで補強鉄筋３及びラス網４を保持する第１固定板１２は、平板部の他側に沿った補強リブ１２Ｂにより剛性を高めることができる。
【００６９】
このように、補強リブ１２Ｂによる簡単な構成でねじれ（回転）に耐えることができる。
【００７０】
しかも、その補強リブ１２Ｂは、平行する突出片１２Ａよりも突出長さが短いので、突出片１２Ａに補強鉄筋３及びラス網４を保持する際に補強リブ１２Ｂが支障にならない。
【００７１】
このように、突出片１２Ａよりも突出長さが短い補強リブ１２Ｂにより、突出片１２Ａを平行に設けた場合に比べて、布基礎１に第１固定板１２を固定する際、突出片１２Ａに補強鉄筋３及びラス網４を保持する際における施工誤差を吸収することができる。
【００７２】
また、基礎補強用の第１固定板１２の布基礎１の表面に対する高さが異なる二個の取付孔１２Ｄが、横方向に位置を異ならせているため、取付孔を上下に並べた場合よりも、布基礎１に対し強固に固定することができて、取付孔を横に並べたよりも、基礎補強用の第１固定板１２の幅を小さくすることができる。
【００７３】
（変形例）
以上の実施形態においては、ランナの中間部に設ける脆弱部として、両側に切欠き状に形成された左右一対のくびれ部としたが、本発明はこれに限定されるものではなく、ランナの中間部に貫通して形成された孔部、又はランナの中間部表面に形成された横方向の溝部であってもよい。
また、実施形態では、補強対象を布基礎として、木の柱の固定を兼ねる構造としたが、ベタ基礎等の他の基礎や、他のコンクリート構造物と、そのコンクリート構造物の内方を含む上下方向や水平方向に隣接する木造の構造物と接続する構造であってもよい。
さらに、ランナの形状等も任意であり、その他、具体的な細部構造等についても適宜に変更可能であることは勿論である。
【符号の説明】
【００７４】
１  基礎
２  基礎補強鉄筋ランナ
２ａ  鉄筋保持溝
２ｂ  ラス網保持溝
２ｃ  取付孔
２ｄ  継手部用の鉄筋保持溝
３  格子状の補強鉄筋
３ａ  横筋（主筋）
３ｂ  縦筋
４  ラス網
４ｂ  リブ状部分
５  補強モルタル
６  基礎パッキン
７  土台
８  柱（隣接する構造物）
９  あて木
１０  柱脚金物兼用補強鉄筋ランナ（構造物接続兼用補強鉄筋ランナ）
１２  第１固定板
１２Ａ  突出片
１２Ｂ  補強リブ
１２Ｃ  補強リブ
１２Ｄ  取付孔
２１  第２固定板
２１ａ  固定孔
２１ｂ  脆弱部（くびれ部）
【図１】
2019044525.tif 000003
【図２】
2019044525.tif 000004
【図３】
2019044525.tif 000005
【図４】
2019044525.tif 000006
【図５】
2019044525.tif 000007